(57)【要約】      （修正有）【課題】農業や園芸用のハウスや畜舎などを含む各種のハウスに被せるネットに関し、既存のネットをそのまま利用でき、しかも任意の部位を補強して、台風などの強風にも耐えることができ、被覆資材の上から被せて保護するのにも適し、また支持部への連結固定等の取り扱いが簡便なハウス用ネットを実現する。【解決手段】ネットｎの要補強部位を一対の帯体６〜１２で挟んで接着または縫い付けしてあり、この帯体は、一対の帯体の間に芯ロープを挟み、この芯ロープと前記のネットを構成するロープ材とを連結した構成になっている。このネットｎにおいて、ハウス骨組の妻側端に沿って妻側帯体６，７を設け、肩部に沿って肩部帯体１１を設けてある。【選択図】図１
2005287426.tif 000002
【特許請求の範囲】
【請求項１】
園芸用ハウスや畜舎を含む各種のハウスに被せるネットであって、
前記ネットの要補強部位を一対の帯体で挟んで接着または縫い付けしてあることを特徴とするハウス用ネット。
【請求項２】
前記の一対の帯体の間に芯ロープを挟み、この芯ロープと前記のネットを構成するロープ材とを連結してあることを特徴とする請求項１に記載のハウス用ネット。
【請求項３】
前記ネットが菱目または角目であり、少なくともハウス骨組の妻側端に沿って妻側帯体を設け、肩部に沿って肩部帯体を設けてあることを特徴とする請求項１または請求項２に記載のハウス用保護ネット。
【請求項４】
前記の妻側帯体より内側に間隔をおいて設けた平行帯体または前記の肩部帯体に、ハウス骨組または補強部材への連結用の分岐帯体を接続してあることを特徴とする請求項１、請求項２または請求項３に記載のハウス用保護ネット。
【請求項５】
妻側帯体と妻側帯体との間の領域において、妻側帯体と平行方向に１本または複数本の中間帯体を設けてあることを特徴とする請求項１から請求項４までのいずれかの項に記載のハウス用保護ネット。
【請求項６】
前記の保護ネットにおいて、少なくともハウスの棟方向にネット部と色違いのロープまたは帯体を設けてあることを特徴とする請求項１から請求項５までのいずれかの項に記載のハウス用保護ネット。
【請求項７】
請求項１から請求項６までのいずれかの項に記載の保護ネットを被せるハウスであって、
ハウスの屋根側および両側面側の骨組において、妻側端部に沿って、前記の妻側帯体を引っ掛けるフックを設けてあることを特徴とするハウス。
【請求項８】
請求項１から請求項６までのいずれかの項に記載の保護ネットを被せたハウスであって、
前記ネットのハウス両側面側の下端部に沿って、網目中に水平方向の支持パイプを挿通してあること、
前記の水平方向の支持パイプとハウス骨組の両側面下部に設けた水平方向の支持パイプまたは補強パイプとを帯体等で連結してあること、
ハウス骨組の妻側端部に沿って設けたフックに保護ネットの前記妻側帯体を引っ掛けてあること、
前記の平行帯体に接続した分岐帯体を、ハウス骨組の妻面側に設けた支持手段または補強部材に連結固定してあること、
を特徴とするハウス。
【発明の詳細な説明】
【技術分野】
【０００１】
本発明は、農業や園芸用のハウスや畜舎などを含む各種のハウスに被せるネットに関する。特に、パイプハウスに被せるネットやビニールシートなどの被覆資材を台風などの強風から保護するのに適する保護ネットに関する。
【背景技術】
【０００２】
簡易低コストで台風などの強風にも耐えられるようにとパイプハウスが採用されているが、パイプハウスの骨組みに被せる防虫ネットやビニールシートなどの被覆資材が強風に弱く、比較的容易に破損してしまうという問題が避けられない。これらの被覆資材の上からハウス押さえネットを被せて保護することも試みられているが、引っ張りに弱く、ネットが切れたり、十分な押さえ力が得られない等の問題がある。その結果、強風時に被覆資材がバタついたり、バタつき部から破損して強風がハウス内に吹き込むといった問題が克服できず、台風通過の多い南西諸島における農業生産に支障を来している。
【０００３】
前記のハウス押さえネットを強化すればこのような問題を解決できるが、単に全体的に強化するだけでは、コスト高となり、普及が期待できない。これに対し、登録実用新案第3046247 号のように、たて糸とよこ糸を平織してなる農業用の被覆ネットにおいて、強固な張設状態を得るために、両側縁部に補強部を設ける考案が開示されている。
【特許文献１】登録実用新案第3046247
【発明の開示】
【発明が解決しようとする課題】
【０００４】
ところが、この補強部は、隣接するたて糸間に補強糸を２本ずつ織り込んだ構造であるため、単に糸の本数を増やしただけに過ぎず、強度の強化はあまり期待できない。したがって、この被覆ネットの上には前記のようなハウス押さえネットなどの保護ネットが不可欠となる。また、ネットを構成するたて糸よこ糸を太くしたとしても、保護ネット自体の織り方を変更する必要があるため、設備の変更などの費用も要し、高価な保護ネットとなる。さらに、保護ネットにおける所望の任意の位置を強化し補強するということが困難である。
【０００５】
本発明の技術的課題は、このような問題に着目し、既存のネットをそのまま利用でき、しかも任意の部位を補強して、台風などの強風にも耐えることができ、被覆資材の上から被せて保護するのにも適し、また支持部への連結固定等の取り扱いが簡便なハウス用ネットを実現することにある。
【課題を解決するための手段】
【０００６】
本発明の技術的課題は次のような手段によって解決される。請求項１は、園芸用ハウスや畜舎を含む各種のハウスに被せるネットであって、前記ネットの要補強部位を一対の帯体で挟んで接着または縫い付けしてあることを特徴とするハウス用ネットである。このように、園芸用ハウスや畜舎を含む各種のハウスに被せるネットにおいて、前記ネットの要補強部位を一対の帯体で挟んで接着または縫い付けしてある構成を採っているため、既存の一般的なネットをそのまま利用して、要補強部位を一対の帯体で挟んで固定するだけで強度の向上が可能となり、安価な補強ネットとなる。
【０００７】
帯体でネットを挟む部位は任意に選択できるから、適用するハウスの構造やサイズなどに応じた部位を帯体で補強でき、適応性にすぐれている。ハウスに被せて展張する際に、帯体を引っ張って固定するだけで強固に張設でき、取り扱いも簡便である。このように、安価に任意の部位に帯体を設けて補強でき、しかもネット張設に兼用できるため、農業や施設園芸用のハウスに限らず、蓄舎などにおいて、鳥インフルエンザなどのような伝染病予防のための防鳥ネットなどとしても適している。
【０００８】
請求項２は、前記の一対の帯体の間に芯ロープを挟み、この芯ロープと前記のネットを構成するロープ材とを連結してあることを特徴とする請求項１に記載のハウス用ネットである。このように、前記の一対の帯体の間に芯ロープを挟んであるので、帯体を芯ロープで補強したことになり、より強度の高い帯体を実現でき、より強い力でネットをハウス上に張設できる。また、この芯ロープとネットを構成するロープ材とを連結してあるので、ネットの各部と帯体とが一体に接続されていることになり、より強力にネットを張設できる。
【０００９】
請求項３は、前記ネットが菱目または角目であり、少なくともハウス骨組の妻側端に沿って妻側帯体を設け、肩部に沿って肩部帯体を設けてあることを特徴とする請求項１または請求項２に記載のハウス用保護ネットである。このように、本発明は、菱目または角目のいずれのネットにも適用でき、また少なくともハウス骨組の妻側端に沿って妻側帯体を設けてあるので、ハウス上に張設する際または強風時にこの妻側帯体をハウス骨組の妻側端に引っ掛けたりして固定することができ、張設が簡便になる。しかも、肩部に沿って肩部帯体を設けてあるので、この肩部帯体によって、ハウスネットを全体的にハウス骨組に押さえつけて、下側の被覆資材のバタつきを押さえることができる。
【００１０】
請求項４は、前記の妻側帯体より内側に間隔をおいて設けた平行帯体または前記の肩部帯体に、ハウス骨組または補強部材への連結用の帯体を接続してあることを特徴とする請求項１、請求項２または請求項３に記載のハウス用保護ネットである。このように、前記の妻側帯体より内側に間隔をおいて設けた平行帯体または前記の肩部帯体に、ハウス骨組または補強部材への連結用の帯体を接続してあるため、平行帯体に接続した連結帯体を利用して、妻面側の支持部材や補強部材に連結固定すると、ネット全体を妻側に引っ張って張設できる。また、肩部帯体の連結用帯体を、両側面の下端の支持パイプや補強パイプに連結固定すれば、ネットの側面側を押さえて、下側の被覆資材のバタつきを抑制できる。
【００１１】
請求項５は、妻側帯体と妻側帯体との間の領域において、妻側帯体と平行方向に１本または複数本の中間帯体を設けてあることを特徴とする請求項１から請求項４までのいずれかの項に記載のハウス用保護ネットである。この場合、各中間帯体の間隔または中間帯体と前記の妻側帯体や平行帯体との間は、ほぼ等間隔にするのがよい。このように、妻側帯体と妻側帯体との間の領域において、妻側帯体と平行方向に１本または複数本の中間帯体を設けてあるため、ネットの中間領域を押さえて、下側の被覆資材のバタつきを抑制できる。また、ハウス用保護ネット自体を安定的に支持するのにも有効である。
【００１２】
請求項６は、前記の保護ネットにおいて、少なくともハウスの棟方向にネット部と色違いのロープまたは帯体を設けてあることを特徴とする請求項１から請求項５までのいずれかの項に記載のハウス用保護ネットである。このように、ハウスの棟方向にネット部と色違いのロープや帯体を設けてあるため、ネットを張設する際に、先ずこの色違いのロープや帯体を棟部に位置合わせすればその後のネット張設作業が容易になる。
【００１３】
請求項７は、請求項１から請求項６までのいずれかの項に記載の保護ネットを被せるハウスであって、ハウスの屋根側および両側面側の骨組において、妻側端部に沿って、前記の妻側帯体を引っ掛けるフックを設けてあることを特徴とするハウスである。このように、請求項１から請求項６に記載の保護ネットを被せるハウスにおいて、ハウスの屋根側および両側面側の骨組に、妻側端部に沿って、前記の妻側帯体を引っ掛けるフックを設けてあるため、ネットの前記の妻側帯体をこれらのフックに引っ掛けるだけで、ネットの妻側をパイプ骨組上に押さえて、下側の被覆資材のバタつきを抑制できる。また、強風がハウス内に吹き込む開口が発生しないように、ビニールシートを押さ込むことができる。
【００１４】
請求項８は、請求項１から請求項６までのいずれかの項に記載の保護ネットを被せたハウスであって、前記ネットのハウス両側面側の下端部に沿って、網目中に水平方向の支持パイプを挿通してあるので、ネット全体を屋根部や両側面側に均一かつ安定的に押さえることができる。また、前記の水平方向の支持パイプとハウス骨組の両側面下部に設けた水平方向の支持パイプまたは補強パイプとを帯体等で連結してあるため、ネット全体を屋根部や両側面側により強固に押さえると共に、下側の被覆資材の屋根側や両側面側がバタつくのを抑制できる。しかも、ハウス骨組の妻側端部に沿って設けたフックに保護ネットの前記妻側帯体を引っ掛けてあるので、ネットの妻側をパイプ骨組上に押さえて、下側の被覆資材のバタつきを抑制できる。また、強風がハウス内に吹き込む開口が発生しないように、ビニールシートを押さ込むことができる。前記の平行帯体に接続した連結用帯体を妻面側の支持手段や補強部材に連結固定してあるので、ネット全体を妻側に引っ張って張設し、確実に固定できる。
【発明の効果】
【００１５】
請求項１のように、園芸用ハウスや畜舎を含む各種のハウスに被せるネットにおいて、前記ネットの要補強部位を一対の帯体で挟んで接着または縫い付けしてある構成を採っているため、既存の一般的なネットをそのまま利用して、要補強部位を一対の帯体で挟んで固定するだけで強度の向上が可能となり、安価な補強ネットとなる。帯体でネットを挟む部位は任意に選択できるから、適用するハウスの構造やサイズなどに応じた部位を帯体で補強でき、適応性にすぐれている。ハウスに被せて展張する際に、帯体を引っ張って固定するだけで強固に張設でき、取り扱いも簡便である。このように、安価に任意の部位に帯体を設けて補強でき、しかもネット張設に兼用できるため、農業や施設園芸用のハウスに限らず、蓄舎などにおいて、鳥インフルエンザなどのような伝染病予防のための防鳥ネットなどとしても適している。
【００１６】
請求項２のように、前記の一対の帯体の間に芯ロープを挟んであるので、帯体を芯ロープで補強したことになり、より強度の高い帯体を実現でき、より強い力でネットをハウス上に張設できる。また、この芯ロープとネットを構成するロープ材とを連結してあるので、ネットの各部と帯体とが一体に接続されていることになり、より強力にネットを張設できる。
【００１７】
請求項３のように、菱目または角目のいずれのネットにも適用でき、また少なくともハウス骨組の妻側端に沿って妻側帯体を設けてあるので、ハウス上に張設する際または強風時にこの妻側帯体をハウス骨組の妻側端に引っ掛けたりして固定することができ、張設が簡便になる。しかも、肩部に沿って肩部帯体を設けてあるので、この肩部帯体によって、ハウスネットを全体的にハウス骨組に押さえつけて、下側の被覆資材のバタつきを押さえることができる。
【００１８】
請求項４のように、前記の妻側帯体より内側に間隔をおいて設けた平行帯体または前記の肩部帯体に、ハウス骨組または補強部材への連結用の帯体を接続してあるため、平行帯体に接続した連結帯体を利用して、妻面側の支持部材や補強部材に連結固定すると、ネット全体を妻側に引っ張って張設できる。また、肩部帯体の連結用帯体を、両側面の下端の支持パイプや補強パイプに連結固定すれば、ネットの側面側を押さえて、下側の被覆資材のバタつきを抑制できる。
【００１９】
請求項５のように、妻側帯体と妻側帯体との間の領域において、妻側帯体と平行方向に１本または複数本の中間帯体を設けてあるため、ネットの中間領域を押さえて、下側の被覆資材のバタつきを抑制できる。また、ハウス用保護ネット自体を安定的に支持するのにも有効である。
【００２０】
請求項６のように、ハウスの棟方向にネット部と色違いのロープや帯体を設けてあるため、ネットを張設する際に、先ずこの色違いのロープや帯体を棟部に位置合わせすればその後のネット張設作業が容易になる。
【００２１】
請求項７のように、請求項１から請求項６に記載の保護ネットを被せるハウスにおいて、ハウスの屋根側および両側面側の骨組に、妻側端部に沿って、前記の妻側帯体を引っ掛けるフックを設けてあるため、ネットの前記の妻側帯体をこれらのフックに引っ掛けるだけで、ネットの妻側をパイプ骨組上に押さえて、下側の被覆資材のバタつきを抑制できる。また、強風がハウス内に吹き込む開口が発生しないように、ビニールシートを押さ込むことができる。
【００２２】
請求項８のように、保護ネットを被せたハウスにおいて、前記ネットのハウス両側面側の下端部に沿って、網目中に水平方向の支持パイプを挿通してあるので、ネット全体を屋根部や両側面側に均一かつ安定的に押さえることができる。また、前記の水平方向の支持パイプとハウス骨組の両側面下部に設けた水平方向の支持パイプまたは補強パイプとを帯体等で連結してあるため、ネット全体を屋根部や両側面側により強固に押さえると共に、下側の被覆資材の屋根側や両側面側がバタつくのを抑制できる。しかも、ハウス骨組の妻側端部に沿って設けたフックに保護ネットの前記妻側帯体を引っ掛けてあるので、ネットの妻側をパイプ骨組上に押さえて、下側の被覆資材のバタつきを抑制できる。また、強風がハウス内に吹き込む開口が発生しないように、ビニールシートを押さ込むことができる。前記の平行帯体に接続した連結用帯体を妻面側の支持手段や補強部材に連結固定してあるので、ネット全体を妻側に引っ張って張設し、確実に固定できる。
【発明を実施するための最良の形態】
【００２３】
次に本発明によるがハウス用保護ネットが実際上どのように具体化されるか実施形態を説明する。図１は、本発明によるハウス用保護ネットを張設してなるパイプハウスの実施形態を示す斜視図である。ハウスの骨組は、かまぼこ状の屋根１と左右の側壁２、３と前後両側の妻面４、５とからなっており、全体構成は通常のパイプハウスと同様であるから、特徴部以外は説明を省略する。ｎはネット部分であり、パイプハウスの屋根部１と両側面２、３の全体に被せてある。したがって、図に現れない、背面側にもネットｎが張設されている。
【００２４】
図２は、図１のハウスに張設されているネットｎを展開して示した平面図であり、ハウス１棟分のサイズになっている。したがって、四角形状をしていて、手前側領域ｎ３はハウスの右側面３に被せる部分であり、後方側領域ｎ２はハウスの左側面２に被せる部分である。そして、手前側領域ｎ３と後方側領域ｎ２との間の領域ｎ１・ｎ１は、屋根１に被せる部分である。
【００２５】
このようなネットｎにおいて、手前側の妻面４側の端部に沿って帯体６を設けてあり、後方の妻面５側の端部に沿って帯体７を設けてある。そして、前記帯体６、６から、例えば１５〜３０ｃｍ程度の間隔Ｇをおいて、平行に帯体８、９を設けてある。また、図の左側の帯体６、８と右側の帯体７、９との中間位置に中間帯体１０を前記各帯体６〜９と平行に設けてある。この中間帯体１０は、中央に１本のみ設けてもよいが、２本以上、間隔をおいて設けると有効である。これらの各帯体６〜１０は直線状に延びている。また、各帯体６〜１０の先端は、ネット部分ｎから突き出ており、ハウスの骨組や支持部材または補強部材などに縛りつけるなどの連結固定に用いることができる。
【００２６】
このネットｎにおいて、ハウスの手前側の肩部に対応する位置に肩部帯体１１を設けてあり、図には現れない後方の肩部に対応する位置に肩部帯体１２を設けてある。そして、ハウスの棟部１ａに対応する位置に、ネットｎとは色違いの帯体またはロープ１３を設けてある。なお、前記の肩部帯体１１、１２には、適当な間隔で補助的な帯体１４…を連結しておいて、骨組や支持部材または補強部材に縛りつけるようにしてもよい。この補助帯体１４…は、前記の中間帯体１０と同様に、屋根部１を通過するように連続した１本の帯体にしてもよい。
【００２７】
図１、図２のネットｎは網目形状が菱目になっているが、図３のような角目であってもよい。また、菱目や角目以外でも差し支えない。網はのサイズは、１辺が例えば１５〜６０ｃｍ程度が適しているが、特にこの範囲に限定されるわけではない。また、ネットｎを構成するロープや帯体６〜１３の材質も特に限定はされないが、強度の高いナイロン製などが適している。
【００２８】
これらの帯体は、２枚の帯体の間に前記ネットｎを挟んだ状態で互いに縫い付けまたは接着した構成になっているが、妻面４、５側の端部の帯体６、７と他の帯体８〜１２とは、ネットｎへの取付け構造が多少異なる。図４はこの妻側帯体６、７以外の帯体８〜１２とネットｎとの取付け構造を示す斜視図である。帯体６〜１４はいずれも、下側の帯体Ａと上側の帯体Ｂとからなり、一対の帯体Ａ・Ｂ間に前記のネットｎを挟んだ状態で接着したり縫い付けたりして互いに固定してある。すなわち、下側の帯体Ａの上にネットｎを構成するロープｎＲを重ね、その上から上側帯体Ｂを重ねる。このようにネットロープｎＲをサンドイッチにした状態で、上下帯体Ａ、Ｂを１５、１６の２箇所において縫い付ける。このとき、網目を形成するために２本のネットロープｎＲ同士が結ばれる際に形成される瘤ｎＷの部分が、２本の縫い目１５と１６の間に位置するように、位置合わせした状態で縫い付けてある。その結果、瘤ｎＷの部分が２本の縫い目１５と１６との間に縫い込まれて固定されるため、帯体Ａ：ＢとかくネットロープｎＲとがずれたりせず、確実に一体化される。なお、縫い目は１５、１６の２本だけでなく、３本以上設けることもできる。また、糸による縫い付け手段に代わって、強力な接着材で一対の帯体ＡとＢとを互いに接着してもよい。
【００２９】
図５は、前記の妻側帯体６、７とネットｎとの取付け構造を示す斜視図であり、一対の帯体Ａ・Ｂ間に前記のネットｎの妻側端部を挟んだ状態で、互いに縫い目１５、１６で縫い付けてある。妻側帯体６、７の場合は、ネットｎの妻側端部に沿って芯ロープｎＬを設け、この芯ロープｎＬとネットロープｎＲとを結んで連結してある。そして、この芯ロープｎＬおよび芯ロープｎＬとロープｎＲとの結び目の瘤ｎＷが２本の縫い目１５と１６との間に縫い込まれてように縫い付けてある。なお、芯ロープｎＬのすぐ外側に縫い目１５と１６が位置するように縫い付けると、帯体Ａ・Ｂと芯ロープｎＬとがより確実に一体化され、帯体Ａ・Ｂと芯ロープｎＬやネットロープｎＲとのずれを効果的に抑制できる。この場合も、縫い目を３本以上にしたり、鎖線１７で示すように、芯ロープｎＬの上に通過してジグザグ状に縫い付けると更に効果的である。
【００３０】
帯体Ａ・Ｂの幅は、例えば２〜５ｃｍ程度が適しているが、これに限定されない。また、ネットロープｎＲの太さは、３〜１５ｍｍ程度が適しており、芯ロープｎＬはネットロープｎＲと同じく３〜１５ｍｍ程度が適しているが、大きな張力が作用するので、多少太めにしてもよい。
【００３１】
以上が、ハウス用ネットの基本構成であるが、台風などの強風対策のために、図１のように、前記の平行帯体８、９に複数の分岐帯体１８…を接続しておくことが有効である。図１では手前側の妻面２しか表現できないが、後部側の妻面５側も、複数の分岐帯体１８を接続してある。
【００３２】
台風が接近すると、ハウス骨組に対しても台風対策を施すが、妻面には開閉扉Ｄを押さえたりする補強パイプ２０、２１などを用意してハウス骨組に取付け固定することが多い。この補強パイプ２０、２１に前記の分岐帯体１８…を伸ばして接続することができる。左右の肩部帯体１１、１２の上側から延びている分岐帯体１８ａ、１８ｂは互いにクロスさせて、妻面下側の補強パイプ２１に連結すると、平行帯体８、９の固定がより強固になる。なお、眼鏡ボルトを地中に打ち込んで分岐帯体１８ａ、１８ｂの連結に用いてもよい。平行帯体８、９の両側面２、３側から延びた分岐帯体１８ｃは、妻面を水平に通過して、互いに接続されている。分岐帯体１８…の接続は一例であって、図示例以外の接続も可能である。
【００３３】
図１において、側面３側に示されているように、図２、図３のネットｎの両側面側の下端部ｎＵに沿って、網目中に水平方向の支持パイプ１９を挿通してある。図２、図３のネットの後側の側面下端部ｎＵにも、水平方向の支持パイプ１９を挿通される。その結果、ネットｎは両側面側の下端は、支持パイプ１９によって、均一に下向きに張設される。そして、この支持パイプ１９は、その下側に設けてある太い補強パイプ２２に連結バンド２３などの連結手段によって連結接続されている。したがって、ネットｎの両側面側は、支持パイプ１９を介して、側面下部の補強パイプ２２にも引っ張られているので、ネットｎ全体が確実かつ均一にハウス骨組上に張設されることになる。なお、前記の中間帯体１０も側面下部の補強パイプ２２に連結するのがよい。また、図２のように、肩部帯体１１、１２に分岐帯体１４を接続してある場合は、この分岐帯体１４を補強パイプ２２に連結する。
【００３４】
図６は図１のハウス骨組において、妻側端に設けたフックｆの詳細を例示する斜視図である。２４はビニペット（商標）と呼ばれている金属製の溝状体であり、その溝部中にビニールシート２５をジグザグ状の押さえスプリング２６で押し込んで、離脱不能に固定する構造になっている。この実施形態の場合は、この金属溝体２４の溝中に前記フックｆを挿入して、離脱不能に取付け固定してある。このフックｆは、溝中に挿入固定するのでなく、金属溝体２４に溶接固定してもよい。この金属溝体２４は、ハウス骨組の屋根部１と両側面２、３にわたって、妻側端部に沿って設けてあるが、この金属溝体２４に代わって、フックｆ…を固定する骨組が存在する場合は、金属溝体２４以外の骨組を利用してフックｆ…を設けてもよい。
【００３５】
このように、屋根１側および両側面側２、３に渡ってフックｆ…が有るので、強風時には、前記の妻側帯体６、７を妻側に引き寄せて、フックｆ…に引っ掛けることによって、下側の防虫ネットやビニールシートなどの被覆資材がバタついたりしないように、押さえ込むことができる。また、ビニールシート２５の妻側端部が風で捲れ上がって、風が吹き込むような開口ができるのを防ぐこともできる。なお、図６のフックｆの向きは、後方の妻面５側用であり、手前側の妻面４側用は、フックｆが手前側に向いている。
【００３６】
台風が通過した後は、妻側帯体６、７をフックｆに引っ掛けたり、平行帯体８、９や分岐帯体１８…１４などを支持パイプや補強パイプなどに連結固定しておく必要はなくなるので、全部解除して元のように通常の状態に復元させ、ネットｎを緩めた状態にしておく。なお、妻面側から外した分岐帯体１８…は、風で飛ばされないように束ねて固定しておく。その結果、ネットｎの下側のビニールシート巻き上げ機を作動させて、ハウス側面や屋根部を開放して風通しを良くすることができる。
【００３７】
以上の実施形態において、図１から図３のハウス用保護ネットは、図１のような汎用タイプのかまぼこ状屋根のハウスに適用する構成であって、ハウスの形状やサイズなどに応じた外形並びに帯体配置とすることは言うまでもない。すなわち、各帯体の本数や配置、方向などは、適用するハウスに応じて決定することにより、畜舎などにも利用できる。
【産業上の利用可能性】
【００３８】
以上のように、本発明によると、既存のネットをそのまま利用して所望の部位を補強し、台風などの強風にも耐えるられるハウス用ネットを実現できるので、各種のハウスに被せて防鳥ネットなどとして使用する際にも効果的である。また、園芸用のハウスに使用する場合にも、被覆資材の上から被せて被覆資材が強風でバタついたり、損傷するのを効果的に防止できるので、沖縄などの南西諸島における台風対策にも極めて有効である。
【図面の簡単な説明】
【００３９】
【図１】本発明によるハウス用保護ネットを張設してなるパイプハウスの実施形態を示す斜視図である。
【図２】図１のハウスに張設されている菱目ネットを展開して示した平面図である。
【図３】角目ネットを展開して示した平面図である。
【図４】妻側帯体以外の帯体とネットとの取付け構造を示す斜視図である。
【図５】妻側帯体とネットとの取付け構造を示す斜視図である。
【図６】妻側端において妻側帯体を引っ掛けるフックを例示する斜視図である。
【符号の説明】
【００４０】
ｎ  ネット
６・７  妻側帯体                                                        
８・９  平行帯体
１１・１２  肩部帯体
１３  色違い帯体またはロープ
Ａ  下側帯体
Ｂ  上側帯体
ｎＲ  ネットロープ
ｎＷ  瘤
ｎＬ  芯ロープ
18・18ａ・18ｂ・18ｃ  分岐帯体
１９  支持パイプ
20・21・22  補強パイプ
ｎＵ  側面下端部
２４  金属溝体
２５  ビニールシート
ｆ  フック
【図１】
2005287426.tif 000003
【図２】
2005287426.tif 000004
【図３】
2005287426.tif 000005
【図４】
2005287426.tif 000006
【図５】
2005287426.tif 000007
【図６】
2005287426.tif 000008